(57)【要約】【課題】発光手段の照度の低下を抑制しつつ発光手段の視認性を向上させることができる表示部材及び遊技機を提供すること。【解決手段】この表示部材４１は、遊技者が視認可能な発光面１７ａ、１８ａ、１９ａを有する可変表示部１７、１８、１９と、発光面１７ａ、１８ａ、１９ａの側方を覆い前方に向かって延設する囲い部４１ｂと、囲い部４１ｂが取り付けられる取付基板４１ｄと、を有し、囲い部４１ｂの前側に位置する前端面４１ｆと取付基板４１ｄの前側に位置する前面４１ｇとが略同一平面となるように構成されている。【選択図】図４
2010110490.tif 000002
【特許請求の範囲】
【請求項１】
遊技者が視認可能な発光面を有する可変表示部と、
前記発光面の側方を覆い、該発光面の前方に向かって延設する囲い部と、
前記可変表示部及び前記囲い部が取り付けられる取付基板と、を有する表示部材であって、
前記発光面の前方は、前記囲い部によって隔成された開口部が形成されており、
前記囲い部の前側に位置する前端面と前記取付基板の前側に位置する前面とが略同一平面となるように構成されている、表示部材。
【請求項２】
前記可変表示部は、前記発光面を複数備えており、
前記囲い部は、複数の前記発光面の側方を覆うように一体に形成されている、請求項１に記載の表示部材。
【請求項３】
前記囲い部の前記前端面を覆うシート部を更に備え、
該シート部は、前記発光面間の境界を示す境界線を有する、請求項２に記載の表示部材。
【請求項４】
前記囲い部と前記取付基板が一体に形成されている、請求項１から請求項３のいずれかに記載の表示部材。
【請求項５】
遊技を実現する遊技装置体と、
該遊技装置体を内包する遊技機枠と、
上記請求項１から請求項４のいずれかに記載の表示部材と、を有する遊技機であって、
該表示部材は、該遊技装置体及び該遊技機枠のうち少なくともいずれか一方に設けられている、遊技機。
【発明の詳細な説明】
【技術分野】
【０００１】
本発明は、表示部材及び遊技機に関し、特に可変表示部の視認性を向上させることができる表示部材等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内の遊技釘（ゲージともいう。）や風車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
遊技者は、パチンコ機において大当りに入賞すると、多くの景品球払出しを得ることができるため、大当りとなることを期待して遊技を行う。この大当りの態様として、一般的に第１の特別遊技（１種大当り又は図柄変動大当りともいう。）と第２の特別遊技（２種大当り又は役物大当りともいう。）とが存在しており、各大当りを個別に実現可能な１種タイプ及び２種タイプのパチンコ機や、いずれの大当り態様も実現可能な１種２種タイプのパチンコ機が概念できる。
【０００４】
例えば、１種タイプの遊技機は、１種大当りの抽選手段と、入球が抽選手段による抽選の契機となる始動入賞口と、を備えており、始動入賞口への入球を契機として抽選手段による１種大当りの抽選が行われる。また、遊技機は、抽選手段の抽選結果に応じて遊技状態が変化可能に構成されており、この遊技状態を遊技者に報知するための表示装置が設けられている。
【０００５】
例えば、特許文献１には、遊技状態を表示するための発光手段を複数備えた表示装置が記載されている。この表示装置は、複数の発光手段と、発光手段が臨む透光開口部と、透光開口部を覆うように配置された暗色透光部材と、を備えている。この表示装置は、遊技者が、透光開口部及び暗色透光部材を介して複数の発光手段を視認できるように構成されている。暗色透光部材は、暗色を帯びかつ透光性を有しており、隣接する発光手段同士の干渉を防ぐために発光手段の光を弱めるように構成されている。
【０００６】
【特許文献１】特開２００２−１１１８７号公報
【発明の開示】
【発明が解決しようとする課題】
【０００７】
特許文献１に記載の表示装置は、暗色透光部材によって発光手段の光を弱めて、隣接して配置される発光手段同士の光の干渉を抑制する。したがって、発光手段同士の干渉を防ぐことができる一方、発光手段の照度低下により充分な視認性を確保できないおそれがある。
【０００８】
本発明は、上記の事情に鑑みて為されたものであり、発光手段の照度の低下を抑制しつつ発光手段の視認性を向上させることができる表示部材及び遊技機を提供することを例示的課題とする。
【課題を解決するための手段】
【０００９】
上記の課題を解決するために、本発明の例示的側面としての表示部材は、遊技者が視認可能な発光面を有する可変表示部と、発光面の側方を覆い、発光面の前方に向かって延設する囲い部と、可変表示部及び囲い部が取り付けられる取付基板と、を有し、発光面の前方には、囲い部によって隔成された開口部が形成されており、囲い部の前側に位置する前端面と取付基板の前側に位置する前面とが略同一平面となるように構成されている。
【００１０】
可変表示部の発光面の側方には、囲い部が設けられており、この囲い部によって隔成された開口部が発光部の前方に配置されている。よって、遊技者は、囲い部によって隔成された開口部を通して発光面を視認することができる。囲い部は、発光面の側方を覆いかつ発光面の前方に向かって延設して配置されているため、この囲い部によって発光面からの光を周囲に漏らさずに前方に導くことができる。例えば、透光開口部及び暗色透光部材といった複数の部材を用いて前方に光を導く構成と比べて、光の漏れが少なくなり可変表示部の照度の低下を抑制することが可能となる。
【００１１】
また、囲い部の前端面と取付基板の前面とが略同一平面に配置されるため、囲い部によって発光面からの光を取付基板の前面まで導くことができる。取付基板の前面まで囲い部によって光を導くことができるため、光が取付基板の前面に導かれる過程での照度の低下を抑制することが可能となる。
【００１２】
更に、囲い部の前端面によって遊技者が視認する発光形状が定まるため、発光形状を定めるための部品を別個に設ける必要がなくなり、発光形状の輪郭を明確にして発光面の視認性を向上させることができる。また、発光形状を定めるための部品を別個に設ける構成では、この部品と発光面との位置決めが必要となり、その精度によっては意図した発光形状で遊技者に視認させることができないおそれがある。しかし、発光形状を定めるための部品が不要であるため、部品点数を減らすことができるとともに、位置決め工程が不要になり意図した発光形状で容易に視認させることが可能となる。
【００１３】
また、囲い部の前端面によって遊技者が視認する発光形状が定まるため、囲い部の前端面の形状を変化させることにより、簡易に光を視認させる発光面の形状を変化させることが可能となる。例えば、囲い部の前端面の発光面を覆う内側面の形状を四角、三角、星型等として形成することにより、任意の発光形状とすることができ、多様な発光態様を遊技者に提供することができる。
【００１４】
可変表示部は、遊技者に対して発光表示できるものであればよく、例えば、ＬＥＤ、７セグメントディスプレイ、液晶表示装置等によって構成することができる。また、可変表示部と囲い部は、取付基板に取り付けられていればよく、必ずしも可変表示部と囲い部が取付基板に直接取り付けられていなくてもよく、可変表示部と囲い部のうちいずれか一方が取付基板に取り付けられ、他方は間接的に取り付けられるように構成してもよい。
【００１５】
また、可変表示部は、発光面を複数備えており、囲い部は、複数の発光面の側方を覆うように一体に形成されていることが望ましい。複数の発光面の側方を覆うように囲い部を形成することにより、囲い部によって複数の可変表示部間を仕切ることができ、可変表示部同士の光の干渉を囲い部によって抑制することが可能となる。
【００１６】
更に、複数の発光面を覆う囲い部を一体に形成することにより、部品点数及び組立工程の短縮化を図ることが可能となる。また、複数の発光面に対して各々囲い部を設ける構成と比較して、複数の発光面を覆う囲い部を一体に設けることにより、囲い部同士の位置決めも不要となり、更に組立工程の短縮化を図ることができる。
【００１７】
囲い部の前端面を覆うシート部を更に備え、このシート部は、発光面間の境界を示す境界線を有することが望ましい。囲い部の前端面を覆うシート部を設け、シート部に発光面間の境界線を設けることにより、各発光面を独立した状態で遊技者が視認し易くなる。また、シート部を変更することにより、可変表示部の表面デザインを適宜変更することができ、取付態様にあった装飾を施すことが可能となる。更に、シート部によって囲い部の前端面と取付基板の前面を覆うように構成することにより、囲い部と基板を一体化して視認させることができる。
【００１８】
なお、シート部を備えない表示部材においては、可変表示部の発光面に境界線を設けたり、前端面に境界線を設けたりすることができる。発光面や前端面に境界線を設けることにより、シート部に境界線を設ける場合と比較して、部品点数を減少することができるとともに、シート部の取り付け工程が不要になるため、製造コストを縮減することができる。
【００１９】
囲い部と取付基板は、一体に形成されていることが望ましい。囲い部と取付基板を一体に形成することにより、囲い部の前端面と取付基板の表面が連なるように形成することができる。囲い部の前端面と取付基板の表面が連なることにより、囲い部によって取付基板の前面まで発光面からの光を確実に導くことができ、可変表示部の視認性を向上させることができる。また、囲い部と取付基板の位置決めが不要となり、囲い部と取付基板を別々に設ける場合と比較して、更に部品点数の低減及び組立工程の短縮を図ることができる。
【００２０】
また、本発明の他の例示的な側面としての遊技機は、遊技を実現する遊技装置体と、遊技装置体を内包する遊技機枠と、上記の表示部材と、を有する遊技機であって、表示部材は、遊技装置体及び遊技機枠のうち少なくともいずれか一方に設けられている。
【００２１】
この遊技機によれば、可変表示部の発光面の側方を覆う囲い部の前端面によって発光形状を形成することができる。また囲い部によって照度の低下を抑制しつつ発光面からの光を前方に導いて発光表示できるため、表示部材による発光効果を向上させることができる。例えば、複数の可変表示部を有する表示部材において複雑な発光制御を行ったとしても、遊技者は個々の発光面を区別して視認し易くなり、各可変表示部を混同せずに認識することが可能となる。
【００２２】
なお、遊技装置体とは、遊技機における遊技を実現するものであり、例えば、パチンコ遊技機であれば、遊技媒体の流下による遊技を実現する遊技盤、スロットマシンであれば、絵柄の組合せによる遊技を実現するリールを例示できる。また、制御基板ケースは、遊技装置体又は遊技機枠に対して装着できる構成であればよく、遊技装置体又は遊技機枠に対して直接装着できる構成であってもよいし、遊技装置体又は遊技機枠との間に部材が配置され、遊技装置体又は遊技機枠に対して間接的に装着できる構成であってもよい。
【００２３】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００２４】
本発明の更なる目的又はその他の特徴は、以下添付図面を参照して説明される好ましい実施の形態によって明らかにされるであろう。
【発明の効果】
【００２５】
本発明によれば、可変表示部の発光面の側方を囲い部によって覆い、この囲い部によって取付基板の前面まで発光面からの光を導くことができるため、可変表示部の光の照度低下を抑制して、可変表示部の視認性を向上させることができる。また、複数の可変表示部を備える構成にあっては、囲い部によって個々の発光面の外周を覆っているため、複数の可変表示部が隣接して配置されていても、囲い部によって可変表示部同士の光の干渉を抑制することができ、個々の発光面を区別して表示することが可能となる。
【発明を実施するための最良の形態】
【００２６】
以下、本発明の実施の形態１について図面を用いて説明する。図１は、本発明の実施の形態１に係る遊技機としてのパチンコ機２の正面図である。このパチンコ機２は、枠体（遊技機枠）３、遊技盤ユニット、前面ガラス（前面透明板）１０、発射ユニット（不図示）、貯留皿１４を有し、遊技盤ユニットには、遊技媒体としての球の流下による遊技を実現するための遊技領域が形成されている。
【００２７】
パチンコ機２は、遊技者が後述する発射ハンドル１５を操作することによって、遊技領域１６に向けて球が発射ユニットによって発射され、球の流下による遊技が実現される。なお、パチンコ機は、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、複数の抽選手段によるデジパチ遊技（１種遊技、図柄変動遊技ともいう。）を実現するいわゆる１種１種タイプのパチンコ機について例示説明する。なお、図柄変動遊技については後述する。
【００２８】
パチンコ機２の枠体３は、後述する遊技盤ユニットを保持するためのもので、このパチンコ機２の周囲及び前方又はそれに加えて後方を囲むように構成される。枠体３の内部側には、遊技盤ユニットの他にも後述する各種電子基板や遊技媒体用の経路等各種機構部品が配置され、枠体３によって周囲側面及び前面又はそれに加えて後方からのパチンコ機２内部側への不正アクセスが防止されるようになっている。
【００２９】
パチンコ機２の周囲を囲む筐体枠４、その内側にヒンジ部（揺動支持部）２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤６を前方から遊技者が視認することができるようにするための透明部材である。
【００３０】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００３１】
遊技盤ユニットは、遊技盤面（表面）側の略中央にセンター役物７が配置された遊技盤６を有しており、その遊技盤には多数の遊技釘も配置されている。センター役物７の中央部には、演出表示装置７ａが配置されるとともに、この演出表示装置７ａを露出させるための開口部が形成されている。
【００３２】
遊技盤ユニットのセンター役物７の下方には、始動口ユニット２９が配置されている。始動口ユニット２９は、第１始動口２９ａと第２始動口２９ｂを備えている。第１始動口２９ａへの球２３の入球を契機として第１抽選が実行され、第２始動口２９ｂへの球２３の入球を契機として第２抽選が実行される。この第１抽選の抽選結果は、後述する第１図柄表示部１７に表示され、第２抽選の抽選結果は、後述する第２図柄表示部１８に表示される。
【００３３】
第１図柄表示部１７に表示される第１図柄１７ｂは、第１始動口２９ａへの球２３の入球を契機として実行される第１抽選の結果に対応した図柄であり、所定の当選態様で停止することにより第１特別遊技としての大当りが発生する。第２図柄表示部１８に表示される第２図柄１８ｂは、第２始動口２９ｂへの球２３の入球を契機として実行される第２抽選の結果に対応した図柄であり、所定の当選態様で停止することにより第２特別遊技としての大当りが発生する。
【００３４】
演出表示装置７ａは、例えば、液晶表示装置・有機ＥＬディスプレイ・ＬＥＤ等により構成されて遊技者が遊技盤の前面側から視認可能となるように配置され、映像表示を行うものである。この演出表示装置７ａには、第１の遊技に対応する第１遊技領域７ｂと第２の遊技に対応する第２遊技領域７ｃを有する。第１遊技領域７ｂには第１図柄１７ｂに連動する第１装飾図柄７ｄを含む演出表示がなされ、第２遊技領域７ｃには第２図柄１８ｂに連動する第２装飾図柄７ｅを含む演出表示がなされる。第１装飾図柄７ｄは、第１抽選手段の抽選結果を視覚的に演出するための図柄であり、第１の遊技に対応する。第２装飾図柄７ｅは、第２抽選手段の抽選結果を視覚的に演出するための図柄であり、第２の遊技に対応する。
【００３５】
遊技盤６は、その遊技盤の前面側に球２３の流下による遊技を実現するための遊技領域１６を構成するための遊技装置体であり、遊技盤を前方から遊技者にとって視認可能となるように枠体３（本実施の形態においては、枠体３の一部としての機枠９。）に保持されている。その遊技盤６には略円形状に周囲を囲むようにレール飾りが取り付けられており、レール飾りの内周面が遊技盤６の表面に対して立設するように配置されている。そして、その内周面によって画定され、内周面に面した略円形状の領域が遊技領域１６となっている。
【００３６】
遊技釘は、遊技領域１６を流下する球２３と衝突してその流下方向を変更させるものであり、多数が遊技領域内に配置されている。また、遊技領域１６には、普通入賞口２８、始動口ユニット２９、及び中央大入賞口３１等が配置されており、流下する球２３が各入賞口等に流入したり、遊技釘に衝突したりすることによって、球２３による流下遊技を楽しむことができるようになっている。
【００３７】
次いで、図２から図７に基づいて、入賞表示ユニットに設けられた表示部材について詳細に説明する。図２は、入賞表示ユニット４０の正面図であり、図３は、入賞表示ユニット４０の斜視図である。入賞表示ユニット４０は、遊技領域１６を流下する球２３が流入可能な３個の普通入賞口２８と、第１図柄表示部（可変表示部）１７、第２図柄表示部（可変表示部）１８、及び遊技状態を表示する状態表示部（可変表示部）１９を有する第１表示部材４１と、第１始動口２９ａへの入球に対応する第１保留表示部（可変表示部）２０及び第２始動口２９ｂへの入球に対応する第２保留表示部（可変表示部）２１を有する第２表示部材４２と、を有する。
【００３８】
図４は、入賞表示ユニット４０における第１表示部材４１を構成する部品を分解した斜視図であり、図５は、図２に示すＡ−Ａ断面図である。第１表示部材４１は、第１図柄表示部１７、第２図柄表示部１８、及び状態表示部１９が装着された発光基板４１ａと、第１図柄表示部１７、第２図柄表示部１８、及び状態表示部１９の各発光面１７ａ、１８ａ、及び１９ａの側方を覆う囲い部としての枠部４１ｂと、枠部４１ｂの外形に沿った開口部４１ｃを有する取付基板４１ｄと、取付基板４１ｄの表面を覆うシート部４１ｅと、を有する。
【００３９】
第１図柄表示部１７及び第２図柄表示部１８は、７セグメントディスプレイからなり、互いに隣接して配置されている。第１図柄表示部１７及び第２図柄表示部１８において前方に配置された面が、遊技者に対して発光表示する発光面１７ａ、１８ａとなる。状態表示部１９は、４個のＬＥＤからなり、各ＬＥＤは離間して並んで配置されている。各ＬＥＤは、別個の遊技状態を示す表示として機能しており、独立して発光制御される。状態表示部１９において前方に配置された曲面が、遊技者に対して発光表示する発光面１９ａである。
【００４０】
枠部４１ｂの開口部４１ｃは、第１図柄表示部１７、第２図柄表示部１８、及び状態表示部１９の各発光面１７ａ、１８ａ、及び１９ａの外形に沿った形状である。第１図柄表示部１７、第２図柄表示部１８、及び状態表示部１９が枠部４１ｂの開口部４１ｃに挿入された状態では、枠部４１ｂが第１図柄表示部１７、第２図柄表示部１８、及び状態表示部１９の側方を覆い、発光面１７ａ、１８ａ、及び１９ａの前方に向かって延設して配置されるように形成されている。したがって、枠部４１ｂによって各発光面から光を周囲に漏らさずに前方に導くことができる。
【００４１】
また、第１図柄表示部１７、第２図柄表示部１８、及び状態表示部１９が枠部４１ｂの開口部４１ｃに挿入された状態では、枠部４１ｂの前側に位置する前端面４１ｆと取付基板４１ｄの前側に位置する前面４１ｇとは略同一平面である。したがって、枠部４１ｂの前端面４１ｆによって遊技者が視認する発光形状の輪郭が形成され、枠部４１ｂによって各発光面からの光の干渉を抑制することができる。
【００４２】
取付基板の前面４１ｇと枠部４１ｂの前端面４１ｆ上にはシート部４１ｅが装着される。シート部４１ｅは、第１図柄表示部１７と第２図柄表示部１８との境界を示す境界線４１ｈを有しているとともに、各発光面に対応する部分は透明であり、それ以外の部分は色彩が付されているため、各発光面からの光を独立した状態で発光表示する。
【００４３】
このように、枠部４１ｂによって各発光面の側方を囲い、かつ枠部４１ｂの前端面４１ｆが取付基板４１ｄの前面４１ｇと略同一平面であることにより、遊技者が視認する第１表示部材４１の最前面まで発光面から光を導くことができる。各発光面からの光を枠部４１ｂによって隣接する発光面からの光との干渉を防ぐことができるため、シート部４１ｅに各発光部からの光の干渉を抑制する銀止め加工等、光の干渉を抑制するための加工が不要となり、製造工程の短縮化を図ることができ、製造コストを縮減することができる。
【００４４】
次いで、図６は、入賞表示ユニット４０における第２表示部材４２を構成する部品を分解した斜視図であり、図７は、図２に示すＢ−Ｂ断面図である。第２表示部材４２は、第１保留表示部２０と第２保留表示部２１が装着された発光基板４２ａと、第１保留表示部２０及び第２保留表示部２１の発光面２０ａ及び２１ａの側方を覆う囲い部としての枠部４２ｂと、枠部４２ｂの外形に沿った開口部４２ｃを有する取付基板４２ｄと、取付基板４２ｄの表面を覆うシート部４２ｅと、を有する。
【００４５】
第１保留表示部２０及び第２保留表示部２１は、各々４個ずつのＬＥＤから構成される。各ＬＥＤは、各始動口の保留個数に対応しており、独立して発光制御される。第１保留表示部２０及び第２保留表示部２１において前方に配置された曲面が発光面２０ａ、２１ａである。枠部４２ｂの開口部４２ｃは、第１保留表示部２０及び第２保留表示部２１の外形に沿うように一体に形成されている。第１保留表示部２０及び第２保留表示部２１が開口部４２ｃに挿入された状態では、枠部４２ｂが第１保留表示部２０及び第２保留表示部２１の側方を覆い、発光面２０ａ及び２１ａの前方に向かって延設して形成されている。
【００４６】
また、第１保留表示部２０及び第２保留表示部２１が枠部４２ｂの開口部４２ｃに挿入された状態では、枠部４２ｂの前側の端面である前端面４２ｆと取付基板４２ｄの前面４２ｇとは略同一平面上である。取付基板４２ｄの前面及び枠部４２ｂの前端面４２ｆ上にはシート部４２ｅが装着される。シート部４２ｅは、各発光面２０ａ、２１ａに対応する部分は透明であり、それ以外の部分は色彩が付されており、各図柄表示部を独立して視認させ易く構成している。
【００４７】
このように、第２表示部材４２によっても、遊技者が視認する第２表示部材４２の最前面まで枠部４２ｂによって光を導くことができる。また、各発光面からの光を枠部４２ｂによって隣接する発光面からの光との干渉を防ぐことができ、第１保留表示部２０と第２保留表示部２１の各保留表示を混同することなく、遊技者は視認することができる。
【００４８】
次いで、パチンコ機２の遊技の流れについて説明する。図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものはいずれの入賞口にも流入せずに遊技領域内最下部に位置するアウト口３０に流入してアウト球としてパチンコ機２の外部側へと排出される。
【００４９】
第１始動口２９ａに球２３が入球すると、第１図柄表示部１７において第１図柄１７ｂが表示され、演出表示装置７ａの第１遊技領域７ｂにおいて第１装飾図柄７ｄを含む演出表示がなされる。第２始動口２９ｂに球２３が入球すると、第２図柄表示部１８において第２図柄１８ｂが表示され、演出表示装置７ａの第２遊技領域７ｃにおいて第２装飾図柄７ｅを含む演出表示がなされる。
【００５０】
第１図柄１７ｂ、第２図柄１８ｂ、第１装飾図柄７ｄ、及び第２装飾図柄７ｅの表示は、変動開始から予め定められた所定時間を経過した後に停止する。第１図柄１７ｂ及び第１装飾図柄７ｄが所定の当選態様で停止すると、遊技者に有利な遊技状態である第１特別遊技に移行し、中央大入賞口３１の開閉動作が開始される。また、第２図柄１８ｂ及び第２装飾図柄７ｅが所定の当選態様で停止すると、遊技者に有利な遊技状態である第２特別遊技に移行し、中央大入賞口３１の開閉動作が開始される。そして、中央大入賞口３１が開放して多量の入賞球を受け入れ、多量の景品球が貯留皿１４へと払い出されるようになっている。
【００５１】
以上、本発明の好ましい実施の形態を説明したが、本発明はこれらに限定されるものではなく、その要旨の範囲内で様々な変形や変更が可能である。例えば、本実施の形態では、遊技盤６に取り付けられる入賞表示ユニットにおける表示部材について説明したが、本発明にかかる表示部材は、遊技盤以外の枠体やレール飾りに取り付けられる表示部材を含むものである。
【図面の簡単な説明】
【００５２】
【図１】本発明の実施の形態１に係るパチンコ機の正面図である。
【図２】図１に示す入賞表示ユニットの正面図である。
【図３】図１に示す入賞表示ユニットの斜視図である。
【図４】入賞表示ユニットの第1表示部材の分解斜視図である。
【図５】図２に示す入賞表示ユニットのＡ−Ａ断面図である。
【図６】入賞表示ユニットの第２表示部材の分解斜視図である。
【図７】図２に示す入賞表示ユニットのＢ−Ｂ断面図である。
【符号の説明】
【００５３】
２：パチンコ機（遊技機）
３：枠体（遊技機枠）
４：筐体枠（枠体の一部）
６：遊技盤（遊技装置体）
７：センター役物
７ａ：演出表示装置
７ｂ：第１遊技領域
７ｃ：第２遊技領域
７ｄ：第１装飾図柄
７ｅ：第２装飾図柄
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
１７：第１図柄表示部（可変表示部）
１７ａ：発光面
１７ｂ：第１図柄
１８：第２図柄表示部（可変表示部）
１８ａ：発光面
１８ｂ：第２図柄
１９：状態表示部（可変表示部）
１９ａ：発光面
２０：第１保留表示部（可変表示部）
２０ａ：発光面
２１：第２保留表示部（可変表示部）
２１ａ：発光面
２２：ヒンジ部（揺動支持部）
２３：球（遊技媒体）
２８：普通入賞口
２９：始動口ユニット
２９ａ：第１始動口
２９ｂ：第２始動口
３０：アウト口
３１：中央大入賞口
３２：装飾部材
４０：入賞表示ユニット
４１：第１表示部材
４１ａ：発光基板
４１ｂ：枠部（囲い部）
４１ｃ：開口部
４１ｄ：取付基板
４１ｅ：シート部
４１ｆ：前端面
４１ｇ：前面
４１ｈ：境界線
４２：第２表示部材
４２ａ：発光基板
４２ｂ：枠部（囲い部）
４２ｃ：開口部
４２ｄ：取付基板
４２ｅ：シート部
４２ｆ：前端面
４２ｇ：前面
【図１】
2010110490.tif 000003
【図２】
2010110490.tif 000004
【図３】
2010110490.tif 000005
【図４】
2010110490.tif 000006
【図５】
2010110490.tif 000007
【図６】
2010110490.tif 000008
【図７】
2010110490.tif 000009